(57)【要約】【課題】後処理装置にて製本形成をおこなっている途中で、用紙が給紙トレイから無くなったとき後処理工程を中断させ、無駄な待ち時間や用紙補充操作を要したり、他の画像形成処理ができず停滞するという問題が生じる。【解決手段】後処理給紙トレイに用紙がない場合、用紙サイズが一致しかつ、用紙の種類と、坪量と、色のうち少なくとも１つが一致している用紙が本体給紙トレイにあれば、本体給紙トレイから用紙を供給し、本体給紙トレイに用紙がなく、後処理給紙トレイに同種類の用紙があるときには、後処理トレイから記録紙を供給する画像形成システムを提供する。【選択図】図１
2007168958.tif 000002
【特許請求の範囲】
【請求項１】
用紙を収容する本体給紙トレイと、用紙残量を検知する用紙残量検知手段と、用紙を供給する本体給紙手段を複数段有する画像形成装置と、
前記画像形成装置から排出される記録用紙を、集積部に順次送り込み、後処理手段により後処理を行う用紙後処理装置と、
前記用紙後処理装置に、用紙を収容する後処理給紙トレイと、用紙残量を検知する後処理用紙残量検知手段と、用紙を供給する後処理給紙手段を複数段設け、
前記後処理給紙トレイまたは、前記本体給紙トレイの何れか一方で用紙無しが発生した場合、何れか一方の給紙トレイから用紙を供給するように切り換える制御をおこなう切り換え制御手段を有する画像形成システムにおいて、
前記切り換え制御手段は、前記給紙トレイにサイズが一致する用紙が存在し、かつ用紙の種類と、坪量と、色のうち少なくとも１つが一致する条件があるときに、前記給紙トレイを選択する切り換え制御をおこない、
また、複数の前記本体給紙トレイの何れかに用紙無しが発生した場合は、前記本体給紙トレイと、前記後処理給紙トレイの両方から前記一致する条件に該当した給紙トレイを選択し、
複数の前記後処理給紙トレイの何れかに用紙無しが発生した場合は、前記後処理給紙トレイの中から前記一致する条件に該当した給紙トレイを選択する制御をおこなうことを特徴とする画像形成システム。
【請求項２】
前記切り換え制御手段は、前記画像形成装置が有する定着手段に定着圧着解除機構が設けている場合、前記本体給紙トレイまたは前記後処理給紙トレイの何れかに用紙無しが発生するとき、前記本体給紙トレイと、前記後処理給紙トレイの両方から前記一致する条件に該当した給紙トレイを選択する制御をおこなうことを特徴とする請求項１に記載の画像形成システム。
【請求項３】
前記画像形成装置から排出される用紙を前記集積部に順次送り込む途中に、インターシートを挿入するインターシートモードのとき、複数の前記本体給紙トレイのうち少なくとも１つの本体給紙トレイには、前記インターシートを有することを特徴とする請求項１または２に記載の画像形成システム。
【請求項４】
複数の前記後処理給紙トレイは、インターシート及び表紙用紙のうち少なくとも一方を有することを特徴とする請求項１乃至３の何れか１項に記載の画像形成システム。
【請求項５】
用紙の種類と、坪量と、色が一致する条件を変更できる制御手段を有することを特徴とする請求項１乃至４の何れか１項に記載の画像形成システム。
【発明の詳細な説明】
【技術分野】
【０００１】
本発明は、画像形成装置から搬出された用紙の途中にインターシートを挿入する画像形成システムに関する。特に、インターシートを用いて合紙をおこなうときの給紙トレイ選択方法に関する。
【背景技術】
【０００２】
近年、複写機、プリンタ、これらの複合機等の画像形成装置により画像が記録された用紙を束ねて、用紙後処理装置にて綴じ処理をおこない冊子を形成する、用紙後処理装置と画像形成装置とを備えた画像形成システムが提供されている。
【０００３】
さらに後処理装置の中には、コート紙などの紙に印刷され表紙用紙を用いて冊子を形成するようにした後処理装置や、さらに冊子の途中に内容を区別するためにインターシートとよばれる、冊子に使用する用紙と種類、紙の坪量（ｇ／ｍ2）、色が異なる用紙を用いる後処理装置等も提供されている。
【０００４】
しかし冊子を形成するために大量の用紙が使われるが、後処理装置にて製本形成をおこなっている途中で、用紙が給紙トレイから無くなったとき後処理工程を中断させ、無駄な待ち時間や用紙補充操作を要したり、他の画像形成処理ができず停滞するという問題が生じる。
【０００５】
また表紙用紙を使用して冊子を形成する後処理装置においては、表紙用紙がなくなったときに同じく後処理工程を中断させなければならないという問題が生じる。
【０００６】
このような問題に対して例えば特許文献１では、所望の用紙がなくなったとき、その倍の用紙があればその用紙を半分に切断して使用する手段、特に倍の用紙に２枚分の印刷をおこない、後処理装置にて切断する等の制御方法が記載されている。
【０００７】
また特許文献２には、後処理装置に、表紙用紙を収容する給紙トレイと、表紙用紙を給紙する複数の給紙手段を備え、複数段の給紙トレイに同じサイズの表紙用紙を収容させた場合、一方の給紙装置の用紙残量検知手段が、給紙トレイ内の表紙用紙の皆無を検知すると、制御手段は、他方の給紙装置の給紙手段を作動させて、一方の給紙装置の給紙動作に引き続き、他方の給紙装置による表紙用紙の給紙動作を開始させる、ことが記載されている。
【特許文献１】特開２００５−１６９９３４号公報
【特許文献２】特開２００３−２３３２２８号公報
【発明の開示】
【発明が解決しようとする課題】
【０００８】
しかしながら上記特許文献１及び特許文献２の何れにおいてもインターシートがなくなったときの問題対応について記載していない。
【０００９】
本発明の目的は、従来の用紙後処理装置における前記のような問題を解決し、インターシートの給紙の効率化を達成する後処理装置を備えた画像形成システムを提供することを目的とする。
【課題を解決するための手段】
【００１０】
上記目的は下記構成により達成できる。
１．用紙を収容する本体給紙トレイと、用紙残量を検知する用紙残量検知手段と、用紙を供給する本体給紙手段を複数段有する画像形成装置と、
前記画像形成装置から排出される記録用紙を、集積部に順次送り込み、後処理手段により後処理を行う用紙後処理装置と、
前記用紙後処理装置に、用紙を収容する後処理給紙トレイと、用紙残量を検知する後処理用紙残量検知手段と、用紙を供給する後処理給紙手段を複数段設け、
前記後処理給紙トレイまたは、前記本体給紙トレイの何れか一方で用紙無しが発生した場合、何れか一方の給紙トレイから用紙を供給するように切り換える制御をおこなう切り換え制御手段を有する画像形成システムにおいて、
前記切り換え制御手段は、前記給紙トレイにサイズが一致する用紙が存在し、かつ用紙の種類と、坪量と、色のうち少なくとも１つが一致する条件があるときに、前記給紙トレイを選択する切り換え制御をおこない、
また、複数の前記本体給紙トレイの何れかに用紙無しが発生した場合は、前記本体給紙トレイと、前記後処理給紙トレイの両方から前記一致する条件に該当した給紙トレイを選択し、
複数の前記後処理給紙トレイの何れかに用紙無しが発生した場合は、前記後処理給紙トレイの中から前記一致する条件に該当した給紙トレイを選択する制御をおこなうことを特徴とする画像形成システム。
２．前記切り換え制御手段は、前記画像形成装置が有する定着手段に定着圧着解除機構が設けている場合、前記本体給紙トレイまたは前記後処理給紙トレイの何れかに用紙無しが発生するとき、前記本体給紙トレイと、前記後処理給紙トレイの両方から前記一致する条件に該当した給紙トレイを選択する制御をおこなうことを特徴とする１に記載の画像形成システム。
３．前記画像形成装置から排出される用紙を前記集積部に順次送り込む途中に、インターシートを挿入するインターシートモードのとき、複数の前記本体給紙トレイのうち少なくとも１つの本体給紙トレイには、前記インターシートを有することを特徴とする１または２に記載の画像形成システム。
４．複数の前記後処理給紙トレイは、インターシート及び表紙用紙のうち少なくとも一方を有することを特徴とする１乃至３の何れかに記載の画像形成システム。
５．用紙の種類と、坪量と、色が一致する条件を変更できる制御手段を有することを特徴とする１乃至４の何れかに記載の画像形成システム。
【発明の効果】
【００１１】
請求項１に記載の発明によれば、後処理給紙トレイに用紙がない場合、用紙サイズが一致しかつ、用紙の種類と、坪量と、色のうち少なくとも１つが一致している用紙が本体給紙トレイにあれば、本体給紙トレイから用紙を供給し、
また本体給紙トレイに用紙がなく、後処理給紙トレイに同種類の用紙があるときには、後処理トレイから記録紙を供給する。しかし本体給紙トレイから供給された用紙は、画像形成装置の定着手段を通過し、加熱定着されているとき供給しないように制御されている。
【００１２】
また請求項２に記載の発明によれば、用紙が本体給紙トレイから給紙されたとき切り換え制御をおこない、後処理給紙トレイから供給されたときはおこなわない、ことにより後処理トレイから供給される用紙は本体側に搬送されることはない。
【００１３】
請求項３、４に記載の発明によれば、複数の本体給紙トレイのうち少なくとも１つは後処理給紙トレイと同一の種類の用紙を有することにより、後処理給紙トレイに用紙がないときでも本体給紙トレイからの用紙が使用できる。
【発明を実施するための最良の形態】
【００１４】
次に、本発明の用紙後処理装置（以下後処理装置と称す）、及び後処理装置を備えた画像形成装置を図面に基づいて説明する。
【００１５】
［画像形成システム］
図１は画像形成装置Ａ、画像読み取り装置Ｂ、後処理装置ＦＳから成る画像形成システムの全体構成図である。
【００１６】
［画像形成装置］
画像形成装置Ａは、回転する像担持体１の周囲に、帯電手段２、像露光手段（画像入力部）３、現像手段４、転写手段５Ａ、除電手段５Ｂ、分離爪５Ｃ、及びクリーニング手段５Ｄを配置した画像形成部を備えている。
【００１７】
原稿台上に載置された原稿の画像は、画像読み取り装置Ｂの光学系により読み取られる。ＣＣＤイメージセンサにより光電変換された信号は、画像処理部６において、アナログ処理、Ａ／Ｄ変換、シェーディング補正、画像圧縮処理等を行った後、像露光手段３に信号を送る。
【００１８】
帯電手段２によって像担持体１の表面に一様帯電を行う。像露光手段３においては、半導体レーザからの出力光が原稿から読み取られた画像データに基づき、画像形成部の像担持体１に露光走査を行って潜像を形成する。該潜像は現像手段４により反転現像されて像担持体１上にトナー像を形成する。
【００１９】
一方、本体給紙トレイ７Ａから給紙された用紙Ｓは転写位置へと送られる。転写位置において転写手段５Ａにより前記トナー像が用紙Ｓ上に転写される。その後に、用紙Ｓは除電手段５Ｂにより裏面の電荷が消去され、分離爪５Ｃにより感光体１から分離され、中間搬送部７Ｂにより搬送され、引き続き定着手段８により加熱定着され、排紙部７Ｃから排出される。
【００２０】
なお本体給紙トレイは７Ａの他に本体給紙トレイ７Ｆと本体給紙トレイ７Ｇを有し、各トレイから給紙された用紙Ｓは上記転写位置へと送られる。
【００２１】
用紙Ｓの両面に画像形成を行う場合には、定着手段８により加熱定着された用紙Ｓを、搬送路切り替え板７Ｄにより通常の排紙通路から分岐し、反転搬送手段７Ｅにおいてスイッチバックして表裏反転した後、排紙部７Ｃにより装置外に排出される。排紙部７Ｃから排出された用紙Ｓは、後処理装置ＦＳの受入部１１に送り込まれる。
【００２２】
さらに定着手段８には、ヒータを有する定着ローラと、定着ローラを回転させるための駆動ローラがバネなどの弾性部材により圧着し、トナーにて現像した用紙を挟持して加熱定着させるが、定着ローラの熱を効率よく加温させるため定着動作以外のときは加熱圧着しないように定着圧着解除機構が設けられている。
【００２３】
また本体給紙トレイから表紙用紙あるいはインターシートを後処理装置に送るときは、用紙のカールやしわがないようにするため加熱圧着をおこなわないことが必要であるが、そのために定着圧着解除機構を使用して圧着解除をおこなって用紙を後処理装置に送る。
【００２４】
一方、像担持体１の画像処理後の表面は、分離爪５Ｃの下流においてクリーニング手段５Ｄにより表面に残留している現像剤が除去され、次の画像形成に備える。
【００２５】
画像形成装置Ａの上部には、画像形成モード、用紙後処理モードを選択して設定する操作部９が配置されている。
【００２６】
画像形成装置Ａの上部には、原稿移動型読み取り方式の自動原稿送り装置を備えた画像読み取り装置Ｂが設置されている。
【００２７】
［後処理装置］
後処理装置ＦＳには、図示の上段に後処理給紙トレイ２０Ａと後処理給紙トレイ２０Ｂと固定排紙台３０と、排紙手段６０が配置され、下段に綴じ手段（ステイプル手段）７０が傾斜面をなして配置されている。また、後処理装置ＦＳの図示左側面には、綴じ処理済みの用紙束を積載する昇降排紙台９１が配置されている。
【００２８】
後処理装置ＦＳは画像形成装置Ａから搬出された用紙Ｓの受入部１１が画像形成装置Ａの排紙部７Ｃと合致するよう位置と高さが調節され設置されている。
【００２９】
受入部１１には、画像形成装置Ａから画像形成処理された用紙Ｓと、後処理給紙トレイ２０Ａから供給される表紙用紙（カバーシート）Ｋ１と、後処理給紙トレイ２０Ｂから供給されるインターシートＫ２とが導入される。受入部１１近傍には、用紙Ｓの先端通過を検知するセンサＰＳが配置されている。
【００３０】
・表紙用紙の給紙装置
後処理給紙トレイ２０Ａは、表紙用紙Ｋ１を送り出す給紙手段２２Ａから成る。後処理給紙トレイ２０Ｂは、インターシートインターシートＫ２を送り出す給紙手段２２Ｂから成る。
【００３１】
給紙手段２２Ａには、後処理給紙トレイ２０Ａ内に収容された表紙用紙Ｋ１のサイズを検知する用紙サイズ検知手段２６Ａと、後処理給紙トレイ２０Ａ内に収容された表紙用紙Ｋ１の残量無しを検知する用紙残量検知手段２７Ａが配置されている。同様にして、給紙手段２２Ｂにも、用紙サイズ検知手段２６Ｂと用紙残量検知手段２７Ｂが配置されている。
【００３２】
後処理給紙トレイ２０Ａ，２０Ｂの各トレイ内には、６４ｇ／ｍ2の普通紙（通称５５ｋｇ紙）から成る表紙用紙Ｋ１（又はＫ２）を約３００枚を収容可能である。また、１２８ｇ／ｍ2の厚手紙（通称１１０ｋｇ紙）から成る表紙用紙Ｋ１（又はＫ２）の場合には、約２００枚を収容可能である。
【００３３】
後処理給紙トレイ２０Ａに収容された表紙用紙Ｋ１は、給紙手段２２Ａにより分離、給紙され、搬送ローラ２３，２４，２５に挟持されて、受入部１１に導入される。また、後処理給紙トレイ２０Ｂ内に収容されたインターシートＫ２は、給紙手段２２Ｂにより分離、給紙され、搬送ローラ２４，２５に挟持されて、受入部１１に導入される。
【００３４】
なお、後処理装置ＦＳは、画像形成装置Ａから排出される用紙Ｓに対して、後処理給紙トレイ２０Ａ、後処理給紙トレイ２０Ｂにより給紙される表紙用紙Ｋを重ね合わせて、綴じ処理、折り処理等を行うオンラインモードと、後処理給紙トレイ２０Ａ、後処理給紙トレイ２０Ｂに用紙Ｓを収容して給紙し、綴じ処理、折り処理等を行うオフラインモードとの両モードを切り替え可能に実行する事が可能である。
【００３５】
・用紙分岐手段
Ｇ１，Ｇ２は用紙搬送を切り換える切り換えゲートである。切り換えゲートＧ１，Ｇ２は図示しないソレノイドの駆動により三方の用紙搬送路、即ち、上段排紙用の第１搬送路３０１、中段の第２搬送路３０２、下段の第３搬送路３０３の何れかに選択的に分岐させる。
【００３６】
・単純排紙
この用紙搬送が設定されると、切り換えゲートＧ１は第２搬送路３０２、第３搬送路３０３を遮断し、第１搬送路３０１のみを開放する。
【００３７】
第１搬送路３０１を通過する用紙Ｓは、搬送ローラ３１に挟持されて上昇し、排出ローラ３２により排出され、固定排紙台３０上に載置され、順次積載される。
【００３８】
固定排紙台３０には最大約２００枚の用紙Ｓを積載することができるように構成されている。
【００３９】
・綴じ処理
図２は、綴じ手段７０断面図である。
【００４０】
操作部９において綴じ処理が設定されると、画像形成装置Ａ内で画像形成処理されて、後処理装置ＦＳの受入部１１に送り込まれた画像形成済みの用紙Ｓは、切り換えゲートＧ２の下方の第３搬送路３０３に送り込まれ、搬送ローラ１２に挟持されて下方に搬送される。
【００４１】
第３搬送路３０３において、Ａ４判、Ｂ５判より大きいサイズの最初の用紙Ｓが搬送されるとき、ソレノイドＳＤが駆動され、用紙Ｓは、切り換えゲートＧ３の図示左側の通紙路１３Ａを通過して、搬送ローラ１４に挟持されて、下方に搬送される。用紙Ｓは、更に下流のレジストローラ１５により挟持されて送り出され、傾斜配置された中間スタッカ７１の上方空間に排出され、中間スタッカ７１または中間スタッカ７１上に積載された用紙Ｓの上面に接し、斜め上方に搬送される。
【００４２】
用紙Ｓの進行方向後端部が搬送ローラ１４の挟持位置から排出されたのちには、用紙Ｓの自重により下降に転じ、中間スタッカ７１の傾斜面上を搬送され、綴じ手段７０近傍の端綴じ用可動ストッパ部材（以下、端綴じストッパと称す）７２の用紙突き当て面に用紙Ｓの後端部が当接して停止する。
【００４３】
第３搬送路３０３において、Ａ４，Ｂ５判等の小サイズの用紙Ｓを、効率よく連続的に搬送してコピー生産性を向上させるため、可動の切り替えゲートＧ３と、切り替えゲートＧ３の図示左側の通紙路１３Ａに平行する通紙路１３Ｂとを設ける。
【００４４】
切り替えゲートＧ３に接続するソレノイドＳＤを駆動させると、通紙路１３Ａを閉止し、通紙路１３Ｂを開放する。
【００４５】
搬送ローラ１２から送り出された１枚目の小サイズの用紙Ｓの先端部は、通紙路１３Ｂを通過して、回転停止状態のレジストローラ１５の周面に当接して停止する。
【００４６】
次に、ソレノイドＳＤの通電がオフになり、切り換えゲートＧ３の先端部が時計方向に揺動し、通紙路１３Ｂを閉止し、通紙路１３Ａを開放する。搬送ローラ１２から送り出された２枚目の用紙Ｓの先端部は、通紙路１３Ａを通過して、回転停止状態のレジストローラ１５の周面に当接して停止する。従って、レジストローラ１５の挟持位置付近には、１枚目の用紙Ｓと２枚目の用紙Ｓの各先端部が重なって停止し、待機状態となる。
【００４７】
所定のタイミングをとって、レジストローラ１５が駆動回転し、２枚の用紙Ｓを挟持して同時に搬送し、中間スタッカ７１上に排出する。３枚目以降は、レジストローラ１５が用紙Ｓを１枚ずつ排出する。
【００４８】
７３は中間スタッカ７１の両側面に移動可能に設けた一対の幅整合部材である。幅整合部材７３は用紙搬送方向と直交する方向に移動可能であり、用紙Ｓが中間スタッカ７１上に搬送される用紙受け入れ時には、用紙幅より広く開放され、中間スタッカ７１上を搬送され、端綴じストッパ７２に当接して停止するときには、用紙Ｓの幅方向の側縁を軽打して用紙Ｓの幅揃え（幅整合）を行う。この停止位置において、中間スタッカ７１上に所定枚数の用紙Ｓが積載、整合されると、綴じ手段７０により綴じ合わせ処理が行われ、用紙Ｓが綴じ合わされる。
【００４９】
前記中間スタッカ７１の用紙積載面の一部には切り欠き部が形成されていて、駆動プーリ７４Ａと従動プーリ７４Ｂに巻回された複数の排出ベルト７４Ｃが回動可能に駆動される。排出ベルト７４Ｃの一部には、排出爪７４Ｄが一体に形成されていて、その先端部は、図示一点鎖線のように長円軌跡を描く。綴じ処理された用紙Ｓは、排出ベルト７４Ｃの排出爪７４Ｄにより用紙Ｓの後端部が保持されて、排出ベルト７４Ｃ上に載せられ、中間スタッカ７１の載置面上を滑走して斜め上方に押し上げられ、排紙手段６０の排出ローラ６１の挟持位置に進行する。回転する排出ローラ６１に挟持された用紙Ｓは、昇降排紙台９１上に排出、積載される。
【００５０】
この昇降排紙台９１は多数枚の用紙Ｓを排紙するときには、順次下降するように構成されており、最大約３０００枚（Ａ４，Ｂ５）の用紙Ｓを収容することが可能である。
【００５１】
・端綴じ処理
図３（ａ）は、用紙束Ｓａの側縁辺ａの近傍で中央振り分け２箇所に綴じ針ＳＰを打針して平綴じ処理する綴じ手段７０の平面図、図３（ｂ）は、用紙束Ｓａのコーナ部近傍の１箇所に綴じ針ＳＰを打針して端綴じ処理する綴じ手段７０の平面図である。
【００５２】
綴じ手段７０は、打針機構７０Ａと受針機構７０Ｂとの２分割構造に構成され、その中間に、用紙Ｓが通過可能な通紙路７５を形成している。
【００５３】
綴じ手段７０は、用紙搬送方向に直交する方向に２組配置され、図示しない駆動手段により、用紙搬送方向に直交する方向に移動されて、表紙用紙Ｋと用紙Ｓの全頁とから成る用紙束Ｓａの用紙幅方向の中央振り分け２箇所に綴じ針ＳＰを打つ。また、綴じ手段７０は、揺動回転可能に支持され、用紙サイズに対応して用紙束Ｓａのコーナ部１箇所に綴じ針ＳＰを打つ。
【００５４】
［表紙用紙の給紙制御］
図４は、画像形成装置Ａと後処理装置ＦＳの制御を示すブロック図である。
【００５５】
画像形成装置Ａの像露光手段３、画像形成部（２，４，５Ａ，５Ｂ，５Ｃ，５Ｄ）、画像処理部６は、操作部９により選択、設定された信号に基づき、主制御手段１００により制御される。
【００５６】
画像形成装置Ａの主制御手段１００の通信手段１０１と、後処理装置ＦＳの後処理制御手段２００の通信手段２０１とは電気的に接続され、制御信号の授受が相互に行われる。
【００５７】
操作部９の選択手段により、後処理装置ＦＳの後処理給紙トレイ２０Ａ、後処理給紙トレイ２０Ｂによる給紙、綴じ手段７０による端綴じ処理が設定される。
【００５８】
主制御手段１００はこの設定により、通信手段１０１を介して後処理装置ＦＳに制御信号を送る。制御信号は通信手段２０１を介して後処理制御手段２００に伝達される。後処理制御手段２００は接続された前記各手段を駆動する。
【００５９】
画像形成装置は本体給紙手段により本体給紙トレイから用紙を搬送し、画像形成手段により記憶されている印刷用データを用紙に画像形成後、搬送手段により後処理装置に搬送する。
【００６０】
画像形成装置と後処理装置とはシリアル通信により接続され、画像形成装置から後処理装置に排紙される用紙の情報が逐次やりとりされる。
【００６１】
画像形成装置からの記録部材は搬送手段で後処理装置に搬送され、後処理装置は上記通信で受信した情報に従って必要な後処理を実施し、指定された排出トレイに排紙される。
【００６２】
図５は操作部９上での用紙設定方法を示す。図５（ａ）において「用紙設定」釦を押すと、図５（ｂ）に示す用紙設定画面が表示される（ＰＯＰＵＰされるという）。
【００６３】
具体例として図５（ｂ）は表１に示す給紙トレイの設定とする。
【００６４】
【表１】
2007168958.tif 000003
【００６５】
図６は表１の設定を基に後処理給紙トレイ２０Ａ（トレイ４）が紙なしのときの実施例（実施例１）を示すフローチャートである。
【００６６】
ステップＳ１０１にてトレイ４を選択し、トレイ４に紙がないかどうかを判断（ステップＳ１０２）して、紙がある場合（ステップＳ１０２：ＮＯ）はトレイ４から給紙して作業を終える。
【００６７】
紙がない場合（ステップＳ１０２：ＹＥＳ）、定着圧着解除手段があるかどうかの判断をおこなう（ステップＳ１０４）。定着圧着解除手段がない場合（ステップＳ１０４：ＮＯ）後処理トレイから選択し、トレイで紙サイズ、紙種、重さ、色のすべてが一致しているかを判断（ステップＳ１０５）し、ステップＳ１０５：ＹＥＳのときはトレイ５を選択（ステップＳ１０６）し給紙をおこなって作業を終了する。ステップＳ１０５：ＮＯのときは給紙を停止（ステップＳ１０７）して、作業を終了する。
【００６８】
ステップＳ１０４がＹＥＳのとき全トレイの中で紙サイズ、紙種、重さ、色のすべてが一致するトレイがあるかどうかを判断（ステップＳ１０８）し、ステップＳ１０８：ＹＥＳのとき、本体給紙トレイ７Ａ（トレイ１）に紙があるかどうかを判断（ステップＳ１０９）し、ステップＳ１０９：ＹＥＳのときトレイ１を選択し給紙（ステップＳ１１０）して作業を終了する。
【００６９】
ステップＳ１０８、ステップＳ１０９の何れもＮＯのときは、停止（ステップＳ１０７）し作業を終了する。
【００７０】
ここで、後処理側のトレイから本体側の給紙トレイに切り替わる、ステップＳ１０４からステップＳ１１０が本発明に相当する箇所である。
【００７１】
次に図７は、インターシートモードでトレイ１を挿入紙としている場合で、トレイ１が紙なしになり、トレイを切り換えるかどうか判断する場合の実施例（実施例２）を示すフローチャートである。
【００７２】
ステップＳ２０１にてトレイ１を選択し、ステップＳ２０２はトレイ１に紙があるかどうかを判断する。トレイ１に紙がある場合（ステップＳ２０２：ＹＥＳ）、トレイ１から給紙（ステップＳ２０３）して作業を終了する。
【００７３】
トレイ１に紙がない場合（ステップＳ２０２：ＮＯ）、トレイ１の用紙は挿入紙かどうかを判断（ステップＳ２０４）し、挿入紙ではないとき（ステップＳ２０４：ＮＯ）他の本体給紙トレイで紙サイズ、紙種、重さ、色のすべてが一致しているトレイがあるかどうかを判断（ステップＳ２０５）し、ステップＳ２０５：ＹＥＳのとき本体トレイのなかで一致しているトレイを選択（ステップＳ２０６）して作業終了する。ステップＳ２０５：ＮＯのときは紙なし停止（Ｓ２０７）する。
【００７４】
トレイ１の用紙が挿入紙であるとき（ステップＳ２０４：ＹＥＳ）全トレイの中で紙サイズ、紙種、重さ、色のすべてにおいて一致するトレイがあるかどうかの判断（ステップＳ２０８）をおこない、ステップＳ２０８：ＹＥＳのときトレイ４に紙があるかどうかを判断（ステップＳ２０９）する。ステップＳ２０９：ＹＥＳのとき、トレイ４を選択（ステップＳ２１０）し作業を終了する。Ｓ２０８：ＮＯまたはステップＳ２０９：ＮＯのときは紙なし停止（Ｓ２０７）する。
【００７５】
本発明に相当する箇所は、本体トレイから後処理トレイに切り替わる、ステップ２０４、Ｓ２０８、Ｓ２０９、Ｓ２１０である。
【図面の簡単な説明】
【００７６】
【図１】画像形成装置、画像読み取り装置、後処理装置から成る画像形成システムの全体構成図。
【図２】綴じ手段の断面図。
【図３】端綴じのを示す参考図。
【図４】画像形成装置Ａと後処理装置ＦＳの制御を示すブロック図である。
【図５】画像形成装置の操作部のユーザー設定画面、及び給紙トレイ選択設定画面を示す。
【図６】後処理給紙トレイ２０Ａが紙なしのとき実施例１フローチャート図である。
【図７】トレイ１が紙なしになり、トレイを切り換えるかどうか判断する場合の実施例２を示すフローチャート図である。
【符号の説明】
【００７７】
９  操作部
２０Ａ、２０Ｂ  後処理給紙トレイ
７Ａ，７Ｆ、７Ｇ  本体給紙トレイ
７０  綴じ手段（ステイプル手段）
１００  主制御手段
２００  後処理制御手段
Ａ  画像形成装置
ＦＳ  用紙後処理装置（後処理装置）
Ｋ，Ｋ１，Ｋ２  表紙用紙（カバーシート）
Ｓ  用紙（用紙）
Ｓａ  用紙束
【図１】
2007168958.tif 000004
【図２】
2007168958.tif 000005
【図３】
2007168958.tif 000006
【図４】
2007168958.tif 000007
【図５】
2007168958.tif 000008
【図６】
2007168958.tif 000009
【図７】
2007168958.tif 000010